(57)【要約】【課題】使用しない時は円形刃がケース内に完全に収納されて安全性が高く、使用時にも把持しやすくて操作性が良く、外した蓋を紛失しにくいピザカッターを提供すること。【解決手段】円形刃１とケース２を備え、ケース２は、円形刃１を回転自在に支持すると共に、円形刃１の一部が露出して切断可能となるよう収納したケース本体７と、ケース本体７の開口部に着脱自在に係合されて、円形刃１の露出した部分を覆う蓋８から成り、ケース本体７の開口部から外した蓋８を、ケース本体７の開口部と逆側の外面に嵌合可能としてある。【選択図】図１
0003180598.tif 000002
【実用新案登録請求の範囲】
【請求項１】
円形刃とケースを備え、ケースは、円形刃を回転自在に支持すると共に、円形刃の一部が露出して切断可能となるよう収納したケース本体と、ケース本体の開口部に着脱自在に係合されて、円形刃の露出した部分を覆う蓋から成り、ケース本体の開口部から外した蓋を、ケース本体の開口部と逆側の外面に嵌合可能としたことを特徴とするピザカッター。
【請求項２】
円形刃の両面側において、蓋の開口部内面に係止突条を形成し、ケース本体の外面に、ケース本体の開口部に装着された蓋の係止突条と着脱自在に係合する第１隆起部、及び、ケース本体の開口部と逆側の外面に嵌合された蓋の係止突条と着脱自在に係合する第２隆起部をそれぞれ形成し、第２隆起部がケース本体の開口部に対して傾斜していることを特徴とする請求項１に記載のピザカッター。
【請求項３】
第１隆起部はケース本体の開口部と逆側へ凸に湾曲し、第２隆起部はケース本体の開口部側へ凸に湾曲し、係止突条は第１隆起部及び第２隆起部の形状に対応して湾曲していることを特徴とする請求項２に記載のピザカッター。
【請求項４】
蓋の開口部を外面側に屈曲して、ケース本体の開口部外面に重合可能な拡開縁部を形成したことを特徴とする請求項１〜３のいずれかに記載のピザカッター。
【請求項５】
ケースを円形刃と同心状の円形としたことを特徴とする請求項１〜４のいずれかに記載のピザカッター。
【請求項６】
ケース本体に水抜き孔を形成したことを特徴とする請求項１〜５のいずれかに記載のピザカッター。
【請求項７】
円形刃の両面側をそれぞれ覆う一対の片側部材を分解可能に組み付けてケース本体を形成し、一方の片側部材の内面に設けた支持軸を円形刃の中心に抜挿可能に挿通したことを特徴とする請求項１〜５のいずれかに記載のピザカッター。
【考案の詳細な説明】
【技術分野】
【０００１】
本考案は、円形刃を有するピザカッターに関する。
【背景技術】
【０００２】
ピザカッターは、円形刃を柄の先端部に回動可能に取り付けて成る車輪タイプのものと、三日月状に湾曲した刃の両端部に柄を取り付けたメッツァルーナタイプのものに大別できる。
家庭などでは操作が簡単な車輪タイプのピザカッターを使用することが多いが、円形刃はむき出しのまま柄に取り付けられているので、保管中或いは使用する際に、刃に手指が触れて怪我をする心配がある。
【０００３】
従来、刃物を保管中に刃が傷ついたり、刃が直接手に触れるのを防ぐために、刃部分を被覆する技術が知られている。例えば、特許文献１には、包丁の刃部分を差し込むケースが記載されており、特許文献２には、可撓性材料より成り、多数の切込部を有して様々な刀身の形状に対応できるようにした刃物カバーが記載されている。
しかし、これらは、使用する際に外したケースやカバーを刃物の一部として使用するものではないため、ケース或いはカバーが邪魔になったり、紛失する虞があり、しかも、円形刃を被覆するのに適していなかった。
【０００４】
また、特許文献３には、上下に配置されたカバー体とベース体の内部に丸刃を回転自在に軸支し、カバー体とベース体の間の間隙部から挿入した被切断物を丸刃で切断するカッターが記載されている。
このカッターは、丸刃をカバー体とベース体で完全に被覆したまま切断を行なうので安全性が高いが、ピザのような厚くて柔らかいものを切断するは困難であり、構造が複雑で、汚れが付着した時に洗浄するのも面倒であった。
【先行技術文献】
【特許文献】
【０００５】
【特許文献１】特開２００６-２５５４２９号公報
【特許文献２】特開２００７-９７６９４号公報
【特許文献３】特開２００８-１７８５０８号公報
【考案の概要】
【考案が解決しようとする課題】
【０００６】
本考案が解決しようとする課題は、使用しない時は円形刃がケース内に完全に収納されて安全性が高く、使用時にも把持しやすくて操作性が良く、外した蓋を紛失しにくいピザカッターを提供することにある。
【課題を解決するための手段】
【０００７】
本考案のピザカッターは、円形刃とケースを備え、ケースは、円形刃を回転自在に支持すると共に、円形刃の一部が露出して切断可能となるよう収納したケース本体と、ケース本体の開口部に着脱自在に係合されて、円形刃の露出した部分を覆う蓋から成り、ケース本体の開口部から外した蓋を、ケース本体の開口部と逆側の外面に嵌合可能としてある。
円形刃の両面側において、蓋の開口部内面に係止突条を形成し、ケース本体の外面に、ケース本体の開口部に装着された蓋の係止突条と着脱自在に係合する第１隆起部、及び、ケース本体の開口部と逆側の外面に嵌合された蓋の係止突条と着脱自在に係合する第２隆起部をそれぞれ形成し、第２隆起部はケース本体の開口部に対して傾斜していることがある。
この場合、第１隆起部がケース本体の開口部と逆側へ凸に湾曲し、第２隆起部がケース本体の開口部側へ凸に湾曲し、係止突条は第１隆起部及び第２隆起部の形状に対応して湾曲していると良い。
【０００８】
蓋の開口部を外面側に屈曲して、ケース本体の開口部外面に重合可能な拡開縁部を形成するのが望ましい。
ケースを円形刃と同心状の円形としてもよい。
ケース本体に水抜き孔を形成することがある。
或いは、円形刃の両面側をそれぞれ覆う一対の片側部材を分解可能に組み付けてケース本体を形成し、一方の片側部材の内面に設けた支持軸を円形刃の中心に抜挿可能に挿通することがある。
【考案の効果】
【０００９】
請求項１に係る考案によれば、使用しない時は円形刃が完全にケース内に収納されるので、保管中或いは保管場所から取り出す際に手を傷つける心配が無く、円形刃も傷みにくい。
また、使用する際には、ケース本体から外した蓋をケース本体の外面に被せて把持部分の一部とするので、蓋の置き場所に困ったり、蓋を見失う虞が無い。
請求項２に係る考案によれば、ケース本体の開口部から外した蓋は、ケース本体の外面に開口部に対して斜めに嵌合されるので、蓋を握ってピザカッターを往復させる際に力を入れやすい。
請求項３に係る考案によれば、係止突条は曲面に案内されてスムーズに第１隆起部及び第２隆起部に係合する。
【００１０】
請求項４に係る考案によれば、使用に際して蓋の外面を握った時、拡開縁部が指掛かりとなるため滑りにくく、安定して操作することができる。
請求項５に係る考案によれば、ケースが、保管時にはコンパクトで体裁が良く、使用時には掌で握りやすい形状となる。
請求項６に係る考案によれば、ケース本体の内部に水を流し入れて、円形刃やケース本体の内部に付着した汚れを簡単に洗浄することができ、洗浄後も速やかに乾燥する。
請求項７に係る考案によれば、ケース本体及び円形刃を分解して、円形刃やケース本体の内部に付着した汚れを簡単に、且つ確実に除去することができる。
【図面の簡単な説明】
【００１１】
【図１】本考案の実施例１を示すピザカッターの分解正面図である。
【図２】本考案の実施例１を示すピザカッターの断面図である。
【図３】本考案の実施例１に係る円形刃の正面図である。
【図４】本考案の実施例１に係るケース本体の平面図である。
【図５】本考案の実施例１を示すピザカッターの保管時における正面図である。
【図６】本考案の実施例１を示すピザカッターの使用時における正面図である。
【図７】本考案の実施例２に係る円形刃の正面図である。
【図８】本考案の実施例２に係るケース本体及び円形刃の断面図である。
【考案を実施するための形態】
【００１２】
以下、本考案の実施例を図面に基づいて詳細に説明する。
図１〜図６は、本考案の実施例１を示す。
実施例１のピザカッターは、図１に示すように、円板の周縁に沿って刃を形成した円形刃１と、円形刃１を収納する合成樹脂製のケース２を備える。
円形刃１の直径は７〜１０ｃｍとし、ケース２は、円形刃１と同心状で直径が１ｃｍ程度長い円形とする（図５）。
図２及び図３に示すように、円形刃１の中心には角孔３が形成され、角孔３に角軸４が挿通されている。角軸４の両端部中心には断面円形の凹部５が形成されている。
また、円形刃１の両側において、角軸４の外周囲には位置決めリング６が嵌合されている。位置決めリング６の幅は、円形刃１の端面から角軸４の先端面までの距離と同じ寸法としてある。
【００１３】
ケース２は、内部空間の厚みが１．５〜２ｃｍの扁平な中空容器であり、円心からややずれた位置を通る直線に沿ってケース本体７と蓋８に分割されている。
ケース本体７は、半円よりやや大きい部分であり、図４に示すように、円形刃１の両面側をそれぞれ覆う一対の片側部材９ａ，９ｂを円弧状の周縁に沿って接合して形成される。また、片側部材９ａ，９ｂの接合部において、ケース本体７の開口部と逆側（以下、上側という）の端部には複数の（図示の例では３個の）水抜き孔１０が形成されている。
【００１４】
図２に示すように、片側部材９ａ，９ｂの内面において、円形刃１の中心と一致する位置には、角軸４の凹部５に係合する断面円形の凸部１１が形成されている。
そして、片側部材９ａ，９ｂを円形刃１の両側に配置し、凸部１１を凹部５に係合することにより、円形刃１がケース本体７に回転自在に支持されると共に、円形刃１の半分よりもやや広い部分がケース本体７の内部に収納される。
円形刃１の残りの部分はケース本体７から露出しており、円形刃１を回転させながら露出した部分の刃でピザを切断することができる。また、角軸４の外周囲に嵌合された位置決めリング６が円形刃１の端面とケース本体７の内面に当接するので、回転する円形刃１が厚み方向へ振れることもない。
【００１５】
図１に示すように、ケース本体７の上側の端部には、他の部分よりもやや径小で薄い小径部１２が形成されている。小径部１２の径及び厚みは、蓋８の内部空間の径及び厚みよりも僅かに小さく、小径部１２の境界線はケース本体７の開口部に対して傾斜している。
また、片側部材９ａ，９ｂの外面には、ケース本体７の開口部に沿って第１隆起部１３ａが形成されると共に、小径部１２の境界線に沿って第２隆起部１３ｂが形成されている。即ち、第２隆起部１３ｂは第１隆起部１３ａに対して傾斜している。
第１隆起部１３ａ及び第２隆起部１３ｂは断面略三角形で、第１隆起部１３ａは上側へ凸に緩やかに湾曲しており、第２隆起部１３ｂは下側へ凸に緩やかに湾曲している。
【００１６】
蓋８は半透明の合成樹脂で一体に成形され、蓋８の開口部は外面側へ屈曲されて、ケース本体７の開口部外面に重合可能な拡開縁部１４が形成されている。拡開縁部１４の幅は６〜８ｍｍ程度とする。
蓋８の前後部において、拡開縁部１４の内面には、ケース本体７の第１隆起部１３ａ及び第２隆起部１３ｂにスナップ係合する係止突条１５が形成されている。係止突条１５は、第１隆起部１３ａ及び第２隆起部１３ｂの形状に沿うよう緩やかに湾曲している。
【００１７】
ピザカッターを使用しない時は、蓋８の開口部をケース本体７の開口部に下方から押し付けて、蓋８の拡開縁部１４をケース本体７の開口部外面に重合すると共に、蓋８の係止突条１５をケース本体７の開口部に沿って形成された第１隆起部１３ａに係合する。第１隆起部１３ａ及び係止突条１５は上側へ凸に湾曲しているので、係止突条１５は曲面に案内されて頂部からスムーズに上昇し、第１隆起部１３ａに係合する。
すると、図５に示すように、円形刃１は完全に円形のケース２内に収納され、円形刃１のケース本体７から露出した部分が蓋８で被覆される。この時、円形刃１は半透明の蓋８を通して外部から視認できるので、ピザカッターであることを知らない人であっても、内部に刃物が収納されていることがわかる。
【００１８】
ピザカッターを使用する時は、蓋８を引っ張ってケース本体７から外し、円形刃１を露出させる。外した蓋８はケース本体７の小径部１２の外面に嵌合し、蓋８の係止突条１５を小径部１２の境界線に沿って形成された第２隆起部１３ｂに係合する。この時も、係止突条１５は曲面に案内されてスムーズに第２隆起部１３ｂに係合する。
そして、ケース本体７に被せた蓋８を握って、ケース本体７から露出した円形刃１をピザに押し当て、ピザカッターを往復させることにより円形刃１を回転させてピザを切断する。
【００１９】
ピザカッターの使用時は、ケース本体７に蓋８を被せたことによって把持部分の厚みが増して掌に馴染み易くなり、しかも、蓋８の開口部に形成された拡開縁部１４が指掛かりとなるので滑りにくい。また、蓋８はケース本体７の開口部に対して斜めに取り付けられるので、ピザカッターを往復させる際に力を入れやすい。
粘り気のある柔らかいピザを切断すると、円形刃１やケース本体７の内部に汚れが付着するが、ケース本体７には水抜き孔１０が形成されているので、ケース本体７の内部に水を流し込んで簡単に洗浄することができ、洗浄後にもケース本体７の内部が乾燥しやすい。
【００２０】
図７及び図８は、本考案の実施例２を示す。
図７に示すように、円形刃１の中心に円形孔１６が形成されている。
ケース本体７を構成する片側部材９ａ，９ｂは一体に接合されておらず、図８に示すように、片側部材９ａ，９ｂの円弧状の周縁に沿って互いに着脱自在に係合する雌雄の係合部１７ａ，１７ｂが形成されている。
また、片側部材９ａ，９ｂの内面において、円形刃１の中心部に相当する位置には、それぞれ先端面が円形刃１の両面に軽く接触する受け部１８が突設されている。
【００２１】
一方の受け部１８の先端面中心部には丸穴１９が設けられ、丸穴１９の開口部内周に沿って突起２０が形成されている。
他方の受け部１８の先端面中心部には断面円形の突出軸２１が突設される。突出軸２１は円形刃１の円形孔１６に挿通されて丸穴１９に挿入される。また、突出軸２１の外周囲には、丸穴１９の内周に形成された突起２０と着脱自在に係合する張り出し部２２が形成されている。
【００２２】
片側部材９ａ，９ｂを円形刃１の両側に配置し、突出軸２１を円形刃１の円形孔１６に挿通して丸穴１９に挿入し、張り出し部２２を突起２０に係合すると共に、片側部材９ａ，９ｂの周縁に形成された係合部１７ａ，１７ｂを係合することにより、ケース本体７が組み立てられ、ケース本体７の内部に円形刃１の過半部が収納されて、円形刃１は突出軸２１の周囲を回転するようケース本体７に軸支される。
また、受け部１８が円形刃１の両面に接触して、回転する円形刃１が厚み方向に振れるのを抑える。
【００２３】
実施例２のピザカッターでは、張り出し部２２と突起２０の係合を解除して、突出軸２１を丸穴１９及び円形孔１６から引き抜き、係合部１７ａ，１７ｂの係合を解除すると、片側部材９ａ，９ｂを分解し、円形刃１をケース本体７から取り外すことができる。
従って、ピザを切断して円形刃１及びケース本体７の内部に汚れが付着した時は、片側部材９ａ，９ｂ及び円形刃１を分離して簡単に、且つ確実に付着した汚れを除去することができる。
なお、実施例２のピザカッターは、片側部材９ａ，９ｂを分解して洗浄できるので、ケース本体７に水抜き孔１０を形成する必要はない。
その他の構造及び使用方法は実施例１と同様である。
【符号の説明】
【００２４】
１  円形刃
２  ケース
３  角孔
４  角軸
５  凹部
６  位置決めリング
７  ケース本体
８  蓋
９ａ，９ｂ  片側部材
１０  水抜き孔
１１  凸部
１２  小径部
１３ａ  第１隆起部
１３ｂ  第２隆起部
１４  拡開縁部
１５  係止突条
１６  円形孔
１７ａ，１７ｂ  係合部
１８  受け部
１９  丸穴
２０  突起
２１  突出軸
２２  張り出し部
【図１】
0003180598.tif 000003
【図２】
0003180598.tif 000004
【図３】
0003180598.tif 000005
【図４】
0003180598.tif 000006
【図５】
0003180598.tif 000007
【図６】
0003180598.tif 000008
【図７】
0003180598.tif 000009
【図８】
0003180598.tif 000010